(57)【要約】【課題】簡単な構成で撮像素子以外のユニットに付着した塵埃を除去することのできる光学機器を提供することである。【解決手段】カメラ本体３０の撮影光路内に防塵フィルタＡ５８が配置され、この防塵フィルタＡ５８に圧電素子Ａ７９が設けられている。一方、第１反射ミラー５１により分割された光路上である撮影光路外に防塵フィルタＢ６０が配置されており、この防塵フィルタ６０に圧電素子Ｂ７２が設けられている。そして、圧電素子Ａ７９と圧電素子Ｂ７２は、共に防塵フィルタ駆動回路９０によって駆動可能となっている。【選択図】      図４
2007047198.tif 000002
【特許請求の範囲】
【請求項１】
光学機器に於いて、
撮影光路内に配置された第１のフィルタと、
上記第１のフィルタに設けられた第１の加振手段と、
光路分割手段により分割された光路上に配置された、少なくとも１つの撮影光路外の第２のフィルタと、
上記撮影光路外の第２フィルタに設けられた第２の加振手段と、
上記第１の加振手段と、上記第２の加振手段とを駆動可能な単一の駆動回路と、
を具備することを特徴とする光学機器。
【請求項２】
上記第１及び第２のフィルタそれぞれは、当該フィルタ後方の光学部品との間を密閉構造としていることを特徴とする請求項１に記載の光学機器。
【請求項３】
光学機器に於いて、
撮影光路内に配置された、少なくとも１つの光路分割手段と、
上記撮影光路内に配置された、第１のフィルタと、
上記第１のフィルタに設けられた第１の加振手段と、
上記光路分割手段により分割された光路上に配置された、少なくとも１つの撮影光路外の第２のフィルタと、
上記少なくとも１つの撮影光路外の第２フィルタに設けられた第２の加振手段と、
上記第１の加振手段と、上記第２の加振手段とを駆動可能な単一の駆動回路と、
を具備し、
上記撮影光路内に配置された第１のフィルタの面は上記撮影光路に対して略垂直であり、且つ、上記撮影光路外の第２のフィルタの面は上記撮影光路に対して略平行であることを特徴とする光学機器。
【請求項４】
複数の防塵フィルタと、
上記複数の防塵フィルタのそれぞれに設けられた複数の加振部材と、
上記複数の加振部材のそれぞれに対して周期的な駆動信号を供給する共通の駆動手段と、
を具備し、
上記駆動手段は、上記複数の防塵フィルタのそれぞれがそれぞれの共振周波数近傍で振動可能なように、上記駆動信号の周波数を設定することを特徴とする光学機器。
【請求項５】
上記駆動手段は、上記複数の防塵フィルタのそれぞれの共振周波数に応じて、上記駆動信号の周波数を順次変更するようにしたことを特徴とする請求項４に記載の光学機器。
【請求項６】
上記防塵フィルタは、撮像光路内及び観察光路内に設けられていることを特徴とする請求項４に記載の光学機器。
【請求項７】
撮影光路内に配置された第１のフィルタと、
上記第１のフィルタを振動させる第１の加振手段と、
上記撮影光路と該撮影光路以外の光路に入射光束を分割する光路分割手段と、
上記撮影光路以外の光路上に配置された、少なくとも１つの第２のフィルタと、
上記第２のフィルタを振動させる少なくとも１つの第２の加振手段と、
上記第１の加振手段と上記第２の加振手段とを駆動可能な単一の駆動回路と、
を具備することを特徴とする光学機器。
【請求項８】
上記第１及び第２のフィルタは、それぞれ当該フィルタ後方の光学部品との間を密閉構造としていることを特徴とする請求項７に記載の光学機器。
【請求項９】
上記第１のフィルタの面は上記撮影光路に対して略垂直であり、且つ、上記第２のフィルタの面は上記撮影光路に対して略平行であることを特徴とする請求項７に記載の光学機器。
【請求項１０】
上記単一の駆動回路は、上記第１及び第２の加振手段に対して周期的な駆動信号を供給するもので、上記第１及び第２のフィルタのそれぞれがそれぞれの共振周波数近傍で振動可能なように、上記駆動信号の周波数を設定することを特徴とする請求項７に記載の光学機器。
【請求項１１】
上記単一の駆動回路は、上記第１及び第２のフィルタのそれぞれの共振周波数に応じて、上記駆動信号の周波数を順次変更するようにしたことを特徴とする請求項１０に記載の光学機器。
【請求項１２】
上記少なくとも１つの第２のフィルタは、観察光路内に設けられていることを特徴とする請求項７に記載の光学機器。
【請求項１３】
上記少なくとも１つの第２のフィルタは、測距光路内に設けられていることを特徴とする請求項７に記載の光学機器。
【発明の詳細な説明】
【技術分野】
【０００１】
本発明は光学機器に関し、より詳細には画像を生成する光学機器の光路に設置されて画像を形成する光線が通過する光学素子に付着する塵挨を除去する光学機器に関するものである。
【背景技術】
【０００２】
従来より、撮影レンズ等の撮影光学系により結像される被写体像を、撮像素子によって光電変換し、これにより得られた画像信号に基づいて液晶モニタ等の画像表示装置に表示するカメラが一般的に知られている。
【０００３】
そして、レンズ交換式カメラの場合、レンズ交換に伴って、ミラーボックス内に塵埃が侵入することがある。塵埃が撮像素子の表面に付着すると、撮影画像にその塵埃が写り込んでしまい、見苦しいものとなっていた。また、塵埃は、ミラーボックス内の他のユニット、例えばフォーカシングスクリーンやＡＦユニット等にも付着する可能性がある。これらの場合は、ファインダ像が見苦しくなる、或いはＡＦ精度が低下する等の問題が生じる。これに対し、撮像素子表面に付着した塵埃を除去する技術について、下記特許文献１等に開示されている。
【特許文献１】特開２００３−３３００８２号公報
【発明の開示】
【発明が解決しようとする課題】
【０００４】
しかしながら、上記特許文献１に記載の装置では、撮像素子に付着した塵埃に対する除去については記載されているものの、撮像素子以外のユニットに付着した塵埃を除去する点については記載されていないものであった。
【０００５】
したがって、本発明の目的は、簡単な構成で撮像素子以外のユニットに付着した塵埃を除去することのできる光学機器を提供することである。
【課題を解決するための手段】
【０００６】
すなわち請求項１に記載の発明は、光学機器に於いて、撮影光路内に配置された第１のフィルタと、上記第１のフィルタに設けられた第１の加振手段と、光路分割手段により分割された光路上に配置された、少なくとも１つの撮影光路外の第２のフィルタと、上記撮影光路外の第２フィルタに設けられた第２の加振手段と、上記第１の加振手段と、上記第２の加振手段とを駆動可能な単一の駆動回路と、を具備することを特徴とする。
【０００７】
請求項２に記載の発明は、請求項１に記載の発明に於いて、上記第１及び第２のフィルタそれぞれは、当該フィルタ後方の光学部品との間を密閉構造としていることを特徴とする。
【０００８】
請求項３に記載の発明は、光学機器に於いて、撮影光路内に配置された、少なくとも１つの光路分割手段と、上記撮影光路内に配置された、第１のフィルタと、上記第１のフィルタに設けられた第１の加振手段と、上記光路分割手段により分割された光路上に配置された、少なくとも１つの撮影光路外の第２のフィルタと、上記少なくとも１つの撮影光路外の第２フィルタに設けられた第２の加振手段と、上記第１の加振手段と、上記第２の加振手段とを駆動可能な単一の駆動回路と、を具備し、記撮影光路内に配置された第１のフィルタの面は上記撮影光路に対して略垂直であり、且つ、上記撮影光路外の第２のフィルタの面は上記撮影光路に対して略平行であることを特徴とする。
【０００９】
請求項４に記載の発明は、複数の防塵フィルタと、上記複数の防塵フィルタのそれぞれに設けられた複数の加振部材と、上記複数の加振部材のそれぞれに対して周期的な駆動信号を供給する共通の駆動手段と、を具備し、上記駆動手段は、上記複数の防塵フィルタのそれぞれがそれぞれの共振周波数近傍で振動可能なように、上記駆動信号の周波数を設定することを特徴とする。
【００１０】
請求項５に記載の発明は、請求項４に記載の発明に於いて、上記駆動手段は、上記複数の防塵フィルタのそれぞれの共振周波数に応じて、上記駆動信号の周波数を順次変更するようにしたことを特徴とする。
【００１１】
請求項６に記載の発明は、請求項４に記載の発明に於いて、上記防塵フィルタは、撮像光路内及び観察光路内に設けられていることを特徴とする。
【００１２】
請求項７に記載の発明は、撮影光路内に配置された第１のフィルタと、上記第１のフィルタを振動させる第１の加振手段と、上記撮影光路と該撮影光路以外の光路に入射光束を分割する光路分割手段と、上記撮影光路以外の光路上に配置された、少なくとも１つの第２のフィルタと、上記第２のフィルタを振動させる少なくとも１つの第２の加振手段と、上記第１の加振手段と上記第２の加振手段とを駆動可能な単一の駆動回路と、を具備することを特徴とする。
【００１３】
請求項８に記載の発明は、請求項７に記載の発明に於いて、上記第１及び第２のフィルタは、それぞれ当該フィルタ後方の光学部品との間を密閉構造としていることを特徴とする。
【００１４】
請求項９に記載の発明は、請求項７に記載の発明に於いて、上記第１のフィルタの面は上記撮影光路に対して略垂直であり、且つ、上記第２のフィルタの面は上記撮影光路に対して略平行であることを特徴とする。
【００１５】
請求項１０に記載の発明は、請求項７に記載の発明に於いて、上記単一の駆動回路は、上記第１及び第２の加振手段に対して周期的な駆動信号を供給するもので、上記第１及び第２のフィルタのそれぞれがそれぞれの共振周波数近傍で振動可能なように、上記駆動信号の周波数を設定することを特徴とする。
【００１６】
請求項１１に記載の発明は、請求項１０に記載の発明に於いて、上記単一の駆動回路は、上記第１及び第２のフィルタのそれぞれの共振周波数に応じて、上記駆動信号の周波数を順次変更するようにしたことを特徴とする。
【００１７】
請求項１２に記載の発明は、請求項７に記載の発明に於いて、上記少なくとも１つの第２のフィルタは、観察光路内に設けられていることを特徴とする。
【００１８】
請求項１３に記載の発明は、請求項７に記載の発明に於いて、上記少なくとも１つの第２のフィルタは、測距光路内に設けられていることを特徴とする。
【発明の効果】
【００１９】
本発明によれば、簡単な構成で撮像素子以外のユニットに付着した塵埃を除去することのできる光学機器を提供することができる。
【発明を実施するための最良の形態】
【００２０】
以下、図面を参照して、本発明の実施形態を説明する。
【００２１】
（第１の実施形態）
図１は、本発明の第１の実施形態を示すもので、本発明の光学機器が適用された一眼レフレックスタイプのデジタルカメラの構成を示す外観斜視図である。
【００２２】
図１に於いて、この一眼レフレックスタイプのデジタルカメラ（以下、カメラと略記する）１は、交換レンズとしてのレンズ鏡筒１０と、カメラ本体３０から主に構成されており、該カメラ本体３０の前面に対して、所望のレンズ鏡筒１０が着脱自在に設定されている。  
カメラ本体３０の上面には、レリーズ釦３１と、モードダイヤル３２と、パワースイッチレバー３３と、コントロールダイヤル３４等が設けられている。
【００２３】
レリーズ釦３１は、撮影準備動作及び露光動作を実行させるための釦である。このレリーズ釦３１は、第１レリーズスイッチと第２レリーズスイッチの２段式のスイッチで構成されており、レリーズ釦３１が半押し操作されることによって、第１レリーズスイッチがオンされて測光処理や測距処理等の撮影準備動作が実行される。また、レリーズ釦３１が全押し操作されることによって、第２レリーズスイッチがオンされて露光動作が実行される。
【００２４】
モードダイヤル３２は、撮影時の撮影モードを設定するための操作部材である。このモードダイヤル３２が所定方向に回転操作されることによって、撮影時の撮影モードが設定される。本実施形態に於いては、後述する液晶モニタに表示される画像を、ファインダビューとライブビューとで切り換える機能も有している。パワースイッチレバー３３は、当該カメラ１の電源のオン／オフをするための操作部材である。このパワースイッチレバー３３が回動操作されることにより、当該カメラ１のメイン電源のオン／オフが切り換えられる。
【００２５】
コントロールダイヤル３４は、撮影情報の設定を行うための部材である。このコントロールダイヤル３４が操作されることにより、撮影時に種々の設定が行われる。
【００２６】
ボディユニット３０の背面部には、撮影画像やメニュー等を表示するための液晶モニタ３６と、再生釦３７と、メニュー釦３８と、十字キー４０と、ＯＫ釦４１と、接眼光学系のファインダ４３等が配置されている。
【００２７】
上記再生釦３７は、カメラ１の動作モードを、後述するＦｌａｓｈＭｅｍｏｒｙ８４や記録メディア８５に記録されたＪＰＥＧファイルから画像を再生できる再生モードに切り換えるための釦である。メニュー釦３８は、液晶モニタ３６にメニュー画面を表示させるための釦である。このメニュー画面は、複数の階層構造から成るメニュー項目によって構成されている。ユーザは、所望のメニュー項目を十字キー４０で選択することができ、ＯＫ釦４１で選択した項目を決定することができる。
【００２８】
図２は、本発明の第１の実施形態に於けるカメラのファインダ光学系の構成を示す斜視図である。
【００２９】
ファインダ光学系５０は、レンズ鏡筒内の撮影レンズ１１を通過した被写体からの光束を、上記ファインダ４３を構成する接眼レンズ６４へと導くための複数のミラー、すなわち第１反射ミラー５１、第２反射ミラー５２、第３反射ミラー５３、第４反射ミラー５４と、接眼レンズ５７と、第２のフィルタである防塵フィルタＢ６０と、フォーカシングスクリーン（スクリーンマット）６１とを有して構成される。
【００３０】
上記第１反射ミラー５１は光路分割手段であって、軸５１ａを中心に図示矢印Ａ方向に回動可能に構成されるもので、その一部が後述するＡＦセンサユニット８３のためにハーフミラーで構成されている。第１反射ミラー５１は、被写体の観察時は図示の如く、撮影レンズ１１から入射された光束を、撮影レンズ１１の光軸に対し略９０°の角度である第２反射ミラー５２の方向、すなわちカメラ本体３０のレンズ鏡筒１０側より見て右方向に反射する。そして、撮像時は、撮影光路より退避されて、被写体からの光束が、第１反射ミラー５１の後方に配置される撮像素子（図示せず）に導かれるように動作する。
【００３１】
また、観察時に第１反射ミラー５１のハーフミラーの部分を透過した光束は、ＡＦ用可動ミラー５７によってカメラ本体３０の下方に反射されて、後述するＡＦセンサユニット８３に導かれる。ＡＦ用可動ミラー５７も、第１反射ミラーと連動して撮影光路内に進退可能に設けられている。すなわち、観察時は撮影光路内に配置されているが、撮影時は撮影光路外に退避、この場合カメラ本体２０の下方に退避して、撮影光軸上でＡＦ可動用ミラー５７の後方に位置されている第１のフィルタである防塵フィルタＡ５８の方へ、図示されない被写体からの光束を導くようになっている。
【００３２】
上記第１反射ミラー５１の反射面で反射された光束は、防塵フィルタＢ６０及びフォーカシングスクリーン６１を介して第２反射ミラー５２に入射する。この第２反射ミラー５２は、上記第１反射ミラー５１からの反射光軸上であって、その反射面が上記第１反射ミラー５１の反射光軸に対し、所定の角度だけ傾いて配置されている。第２反射ミラー５２に入射された上記第１反射ミラー５１からの反射光束は、該第１反射ミラー５１からの反射光軸に対し略９０°の角度、すなわちカメラ本体３０の上方に向けて反射される。
【００３３】
上記第２反射ミラー５２の反射面で反射された光束は、該第２反射ミラー５２の反射面の反射光軸上であって、その反射面が第２の反射面の反射光軸に対し所定の角度だけ傾いて配置される第３反射ミラー５３に入射される。第３反射ミラー５３に入射された第２反射ミラー５２からの反射光束は、第３反射ミラー５３の反射面にて、上記第２反射ミラー５２の反射面からの反射光軸に対し略９０°の角度であって、上記第１反射ミラー５１の反射面による反射方向と相反する方向に反射される。つまり、第２反射ミラー５２の反射面からの反射光束は、第３反射ミラー５３の反射面にて、カメラ本体３０の左方向に向けて反射される。換言すれば、第１反射ミラー５１の反射面にて反射された光束は、第２、第３反射ミラー５２、５３によって折り返すように導かれ、第３反射ミラー５３の反射面の反射光軸は、上記第１反射ミラー５１の反射面の反射光軸と略平行となって第４反射ミラー５４に向かう。
【００３４】
上記第３反射ミラー５３の反射面で反射された光束は、該第３反射ミラー５３の反射面の反射光軸上であって、その反射面が上記第３反射ミラー５３の反射面の反射光軸に対し所定の角度だけ傾いて配置される第４反射ミラー５４に入射される。そして、第４反射ミラー５４に入射された上記第３反射ミラー５３からの反射光束は、第４反射ミラー５４の反射面にて、上記第３反射ミラー５３からの反射光軸に対し略９０°の角度に反射される。つまり、第３反射ミラー５３の反射面からの反射光束は、第４反射ミラー５４の反射面の反射光軸上に配置された接眼レンズ６４に入射される。
【００３５】
上記フォーカシングスクリーン６１は、上述したファインダ光学系５０に入射された光束を光学像として結像させるために、該光束を拡散させる拡散面を有するもので、後述する記録用撮像素子８０の撮像面上と光学的に等価な位置に配置されている。
【００３６】
また、上記第２反射ミラー５２と第４反射ミラー５４は、ハーフミラーで構成されている。第２反射ミラー５２の反射面の裏面側には、被写体の明るさを測定するための測光センサ６２が配置されている。一方、第４反射ミラー５４の反射面の裏面側には、結像レンズ６７及びスルー画表示用撮像素子６８が配設されている。このスルー画表示用撮像素子６８は、フォーカシングスクリーン６１上の像を、結像レンズ６７を介して結像するためのものである。したがって、スルー画表示用撮像素子６８に結像された像は反転しているものの、撮影者の目６５が見ている像と同じものとなる。
【００３７】
このように、撮影レンズ１１からの被写体光束は、上述した第１乃至第４反射ミラー５１〜５４によって、その像が正立正像となるように反転されて接眼レンズ５７に導かれる。これにより、接眼レンズ６４（ファインダ４３）を通して、撮影者の眼６５でフォーカシングスクリーン６１上に結像した被写体像が観察可能となる。
【００３８】
尚、本実施形態では、第１反射ミラー５１、第２反射ミラー５２、第３反射ミラー５３及び第４反射ミラー５４は、入射光束に対して略９０°の角度で反射するように配置しているが、これに限られるものではない。
【００３９】
図３（ａ）は、上述した第２乃至第４反射ミラー５２〜５４及び接眼レンズ６４を一体的に収容するファィンダユニット本体７０と、防塵フィルタＢ６０、フォーカシングスクリーン６１の取り付け構造を示した斜視図である。また、図３（ｂ）は、防塵フィルタＢ６０、フォーカシングスクリーン６１の取り付け構造部分を示した断面図である。
【００４０】
第２反射ミラー５２、第３反射ミラー５３、第４反射ミラー５４及び接眼レンズ６４は、ファインダユニット本体７０として一体的に構成されている。このファィンダユニット本体７０の入射光側には、フォーカシングスクリーン６１が、接着により固定されている。そして、このフォーカシングスクリーン６１の周囲には環状のパッキン７１が配され、更にこのパッキン７１に押圧されるようにして、環状の圧電素子Ｂ７２及び防塵フィルタＢ６０が配される。
【００４１】
第２の加振手段（加振部材）である圧電素子Ｂ７２は防塵フィルタＢ６０に接着により固定されているもので、フレキシブル基板７３を介して、後述する防塵フィルタ駆動回路と接続されている。圧電素子Ｂ７２は、防塵フィルタＢ６０の周縁部に取り付けられているもので、防塵フィルタＢ６０を所定の周波数で振動させることによって、該防塵フィルタＢ６０表面に付着した塵埃を除去するものである。更に、フィルタ固定板７４がファインダユニット本体７０の所定箇所に設けられた差し込み孔に嵌挿されることにより、防塵フィルタＢ６０及び圧電素子Ｂ６１がパッキン７１を押圧する。これにより、フォーカシングスクリーン６１の入射面側は、塵埃が侵入しないように密閉される。
【００４２】
尚、ファインダユニット本体７０に於けるフォーカシングスクリーン６１の周囲には、防塵フィルタＢ６０の振動（詳細は後述する）によって除去された塵埃を吸着するための粘着シート７５が設けられている。また、この粘着シート７５は、図３（ａ）では１箇所だけ示されているが、これに限られるものではなく複数設けられても良いのは勿論である。
【００４３】
図４は、本発明の第１の実施形態に係るカメラのシステム構成を示すブロック図である。
【００４４】
図４に於いて、上記レンズ鏡筒１０は、上記カメラ本体３０の前面に設けられた、図示されないレンズマウントを介して着脱自在に装着可能である。そして、上記レンズ鏡筒１０は、撮影レンズ１１と、絞り１２と、レンズ駆動機構１３と、絞り駆動機構１４と、レンズ制御用マイクロコンピュータ（以下、Ｌμｃｏｍと略記する）１５とから構成されている。
【００４５】
上記撮影レンズ１１は、レンズ駆動機構１３内に存在する図示されないＤＣモータによって、光軸方向に駆動される。絞り１２は、絞り駆動機構１４内に存在する図示されないステッピングモータによって駆動される。また、Ｌμｃｏｍ１５は、上記レンズ駆動機構１３や絞り駆動機構１４等、レンズ鏡筒１０内の各部を駆動制御する。このＬμｃｏｍ１５は、通信コネクタ２０を介して、後述するボディ制御用マイクロコンピュータ８０と電気的に接続がなされ、該ボディ制御用マイクロコンピュータ９５の指令に従って制御される。
【００４６】
一方、カメラ本体３０は、以下のように構成されている。
【００４７】
レンズ鏡筒１０内の撮影レンズ１１、絞り１２を介して入射される図示されない被写体からの光束は、可動ミラーである第１反射ミラー５１で反射され、フォーカシングスクリーン５６、更に上記第１反射ミラー５１と共にファインダ光学系５０を構成する第２乃至第４反射ミラー５２〜５４（図２参照）等を介して、接眼レンズ６４に至る。また、第１反射ミラー５１のハーフミラーの部分を透過した被写体光束の一部は、第１反射ミラー５１とは独立して作動するＡＦ用可動ミラー５７で反射されて、自動測距を行うためのＡＦセンサユニット８３に導かれる。尚、図４に於いては、第１反射ミラー５１は別に示されているが、第２乃至第４の反射ミラー等と共にファインダ光学系５０を構成しているものである。
【００４８】
光軸上で上記第１反射ミラー５１の後方には、フォーカルプレーン式のシャッタ７８と、光学系を通過した被写体像を光電変換するための撮像光学系の光電変換素子であり、ＣＣＤ等で構成される記録用撮像素子８０が設けられている。つまり、第１反射ミラー５１が撮影光路より退避した場合、撮影レンズ１１及び絞り１２を通った光束は、記録用撮像素子８０の撮像面上に結像される。
【００４９】
また、上記シャッタ７８と記録用撮像素子８０との間には、光学素子としての防塵フィルタＡ５８が配されている。第１の加振手段（加振部材）である圧電素子Ａ７９は防塵フィルタＡ５８に接着により固定されているもので、防塵フィルタＡ５８の周縁部に取り付けられている。そして、防塵フィルタＡ５８を所定の周波数で振動させることによって、該防塵フィルタＡ５８表面に付着した塵埃を除去するものである。
【００５０】
上記スルー画表示用撮像素子６８と上記記録用撮像素子８０は、インターフェース回路９１を介して、画像処理を行うための画像処理コントローラ９２に接続されている。そして、この画像処理コントローラ９２には、上述した液晶モニタ３６と、記憶領域として設けられたＳＤＲＡＭ９６、ＦｌａｓｈＭｅｍｏｒｙ９７及び記録メディア９８等が接続されている。これらは、電子撮像機能と共に電子記録表示機能を提供できるように構成されている。
【００５１】
上記記録メディア９８は、図示されないカメラのインターフェースを介してカメラ本体３０に対し脱着可能な各種のメモリカードや外付けのハードディスクドライブ（ＨＤＤ）等の外部記録媒体である。
【００５２】
上記画像処理コントローラ９２は、測光センサ６２を含む測光回路８８と、ＡＦセンサ駆動回路８４と、ミラー駆動機構８５と、シャッタチャージ機構８６と、シャッタ制御回路８７と、詳細を後述する駆動手段（駆動回路）としての防塵フィルタ駆動回路９０と、温度測定回路１００と、不揮発性メモリ（ＥＥＰＲＯＭ）１０１と共に、このカメラ本体３０内の各部を制御するためのボディ制御用マイクロコンピュータ（以下、Ｂμｃｏｍと略記する）９５に接続されている。
【００５３】
上記Ｂμｃｏｍ９５には、更に、当該カメラの動作状態を表示出力によって撮影者へ告知するための動作表示用ＬＣＤ１０２と、カメラ操作スイッチ（ＳＷ）１０３と、電源回路１０５を介して電池１０６とが接続されている。
【００５４】
尚、上記Ｂμｃｏｍ９５とＬμｃｏｍ１５とは、レンズ鏡筒１０の装着時に於いて、通信コネクタ２０を介して通信可能に電気的接続がなされる。そして、デジタルカメラとして、Ｌμｃｏｍ１５がＢμｃｏｍ９５に従属的に協働しながら稼動するようになっている。
【００５５】
上記ＡＦセンサ駆動回路８４は上記ＡＦセンサユニット８３を駆動制御するための回路であり、ミラー駆動機構８５は第１反射ミラー５１を駆動制御する機構である。また、シャッタチャージ機構８６は、上記シャッタ７８を構成する図示されない先幕と後幕を駆動するばねをチャージするものである。シャッタ制御回路８７は、上記シャッタ７８の先幕と後幕の動きを制御すると共に、Ｂμｃｏｍ９５との間でシャッタの開閉動作を制御する信号とストロボと同調する信号の授受を行う。また、上記測光回路８８は、第２反射ミラー５２近傍の測光センサ６２の電気信号に基づいて測光処理する回路である。
【００５６】
温度測定回路１００は、記録用撮像素子８０の周辺の温度を測定するために、防塵フィルタＡ５８の近傍に設けられているものである。通常、温度はガラス製の物材の弾性係数に影響し、その固有振動数を変化させる要因の１つであるため、運用時にその温度を計測して、その固有振動数の変化を考慮しなければならない。稼動中に温度上昇が激しい記録用撮像素子８０の前面を保護するため設けられた防塵フィルタＡ５８の温度変化を測定してその時の固有振動数を予想するほうがよい。したがってこの例の場合、上記温度測定回路１００に接続されたセンサ（図示せず）が、記録用撮像素子８０の周辺温度を測定するため設けられている。尚、そのセンサの温度測定ポイントは、防塵フィルタＡ５８の振動面の極近傍に設定されるのが好ましい。
【００５７】
不揮発性メモリ１０１は、上述したＳＤＲＡＭ９６、ＦｌａｓｈＭｅｍｏｒｙ９７、記録メディア９８以外の記憶領域として、カメラ制御に必要な所定の制御パラメータを記憶する記憶手段であり、Ｂμｃｏｍ９５からアクセス可能に設けられている。
【００５８】
動作表示用ＬＣＤ１０２は、当該カメラの動作状態を表示出力によってユーザへ告知するためのものである。上記カメラ操作スイッチ１０３は切り換え手段として、例えば撮影動作の実行を指示すると共に後述するように第１反射ミラー５１を撮影光路の内外に切り換えるレリーズスイッチ、撮影モードと画像表示モードを切り換えるモード変更スイッチ及びパワースイッチ、等、当該カメラを操作するために必要な操作釦を含むスイッチ群で構成される。更に、電源回路１０５は、電源としての電池１０６の電圧を、当該カメラシステムの各回路ユニットが必要とする電圧に変換して供給するために設けられている。
【００５９】
次に、図５に示される防塵フィルタ駆動回路９０の回路図と、図６に示されるタイムチャートに基づいて、本実施形態に於けるカメラの防塵フィルタＡ５８及びＢ６０の駆動及びその動作について説明する。
【００６０】
ここに例示した防塵フィルタ駆動回路９０は、図５に示される如くの回路構成を有し、その各部に於いて、図６のタイムチャートで表す波形の信号（Ｓｉｇ１〜Ｓｉｇ４）が生成され、それらの信号に基づいて次のように制御される。
【００６１】
防塵フィルタ駆動回路９０は、図５に示されるように、Ｎ進カウンタ１１１、１／２分周回路１１２、インバータ１１３、複数のＭＯＳトランジスタ（Ｑ１、Ｑ２、Ｑ３）１１４ａ、１１４ｂ、１１４ｃ、トランス１１５及び抵抗（Ｒ１）１１６から構成されている。
【００６２】
上記トランス１１５は、その１次側に接続されたトランジスタ（Ｑ２）１１４ｂ及びトランジスタ（Ｑ３）１１４ｃのオン／オフ切替え動作によって、そのトランス１１５の２次側に所定周期の信号（Ｓｉｇ４）が発生するように構成されている。また、この所定周期の信号に基づいて、並列に接続された圧電素子Ａ７９及び圧電素子Ｂ７２を駆動させ、防塵フィルタＡ５８及び防塵フィルタＢ６０を共振させるようになっている。
【００６３】
Ｂμｃｏｍ９５は、制御ポートとして設けられた２つのＩＯポートＰ＿ＰｗＣｏｎｔ及びＩＯポートＤ＿ＮＣｎｔと、このＢμｃｏｍ９５内部に存在するクロックジェネレータ１１０を介して、防塵フィルタ駆動回路９０を次のように制御する。
【００６４】
クロックジェネレータ１１０は、圧電素子Ａ７９及び圧電素子Ｂ７２へ印加する信号周波数より充分に早い周波数で、パルス信号（基本クロック信号）をＮ進カウンタ１１１へ出力する。この出力信号が、図６中のタイムチャートが表す波形の信号Ｓｉｇ１である。そして、この基本クロック信号は、Ｎ進カウンタ１１１へ入力される。
【００６５】
Ｎ進カウンタ１１１は、当該パルス信号をカウントし所定の値“Ｎ”に達する毎にカウント終了パルス信号を出力する。すなわち、基本クロック信号を１／Ｎに分周することになる。この出力信号が、図６中のタイムチャートが表す波形の信号Ｓｉｇ２である。この分周されたパルス信号は、ＨｉｇｈとＬｏｗのデューティ比が１：１ではない。そこで、１／２分周回路１１２を通してデューティ比を１：１へ変換する。尚、この変換されたパルス信号は、図６中のタイムチャートが表す波形の信号Ｓｉｇ３に対応する。この変換されたパルス信号のＨｉｇｈ状態に於いて、この信号が入力されたＭＯＳトランジスタ（Ｑ２）１１４ｂがオンする。
【００６６】
一方、トランジスタ（Ｑ３）１１４ｃへは、インバータ１１３を経由して、このパルス信号が印加される。したがって、パルス信号のＬｏｗ状態に於いて、この信号が入力されたトランジスタ（Ｑ３）１１４ｃがオンする。トランス１１５の１次側に接続されたトランジスタ（Ｑ２）１１４ｂとトランジスタ（Ｑ３）１１４ｃが交互にオンすると、２次側には、図６中のタイムチャートが表す信号Ｓｉｇ４の如き周期の信号が発生する。
【００６７】
トランス１１５の巻線比は、電源回路１０５のユニットの出力電圧と圧電素子Ａ７９及び圧電素子Ｂ７２の駆動に必要な電圧から決定される。尚、抵抗（Ｒ１）１１６は、トランス１１５に過大な電流が流れることを制限するために設けられている。
【００６８】
圧電素子Ａ７９及び圧電素子Ｂ７２を駆動するに際しては、トランジスタ（Ｑ１）１１４ａがオン状態にあり、電源回路１０５のユニットからトランス１１５のセンタタップに電圧が印加されていなければならない。図中トランジスタ（Ｑ１）１１４ａのオン／オフ制御は、ＩＯポートのＰ＿ＰｗＣｏｎｔを介して行われる。Ｎ進カウンタ１１１の設定値“Ｎ”は、ＩＯポートＤ＿ＮＣｎｔから設定できる。よって、Ｂμｃｏｍ９５は、設定値“Ｎ”を適宜に制御することで、圧電素子Ａ７９及び圧電素子Ｂ７２の駆動周波数を任意に変更可能である。
【００６９】
このとき、下記（１）式によって周波数は算出可能である。  
Ｎ：カウンタへの設定値、  
ｆｐｌｓ：クロックジェネレータの出力パルスの周波数、  
ｆｄｒｖ：電気機械変換素子へ印加される信号の周波数、  
ｆｄｒｖ  ＝  ｆｐｌｓ／２Ｎ                                    …（１）  
尚、この式に基づいた演算は、Ｂμｃｏｍ９５のＣＰＵで行われる。
【００７０】
次に、図７及び図８のフローチャートを参照して、本実施形態に於けるカメラの基本的な撮影動作について説明する。
【００７１】
カメラ本体３０内に図示されない電池が投入されると、本ルーチンが開始される。そして、先ずステップＳ１にてパワースイッチレバー３３による電源スイッチ（ＳＷ）の状態が判定される。ここで、電源スイッチがオンされていなければ、ステップＳ２に移行して、操作待ちの状態であるスリープ状態（低消費電流状態）に入る。このスリープ状態から、カメラ１の何らかの操作がなされた場合、及び上記ステップＳ２にて電源スイッチがオンされているならば、ステップＳ３へ移行して、例えばレンズのリセットや電気回路の電気的な初期化等のカメラの初期化動作が行われる。
【００７２】
次いで、ステップＳ４に於いて、サブルーチン「塵埃除去動作」が実行される。尚、このサブルーチン「塵埃除去動作」の詳細については後述する。そして、ステップＳ５にてモードダイヤル３２がチェックされると、以下のモードに移行するべく判定が行われる。すなわち、先ず、ステップＳ６では、スルー画モードであるか否かが判定される。ここで、スルー画モードが選択されたならば、ステップＳ７へ移行してスルー画モードが設定される。また、上記ステップＳ６にてスルー画モード以外であった場合は、ステップＳ８に移行して通常モードであるか否かが判定される。ここで、通常モードが選択されたならば、ステップＳ９へ移行して通常モードが設定される。上記ステップＳ６及びＳ８にて、スルー画モード、通常モードの何れでもない場合は、撮影モードではないと判定され、ステップＳ１０へ移行して、画像の再生モードが設定される。
【００７３】
上記ステップＳ７、Ｓ９またはＳ１０の何れかのモードが設定されたならば、ステップＳ１１に移行して、上述した電源スイッチの状態が判定される。ここで、電源スイッチがオンされているならば、上記ステップＳ５に移行して、ステップＳ１１にて電源スイッチがオフされるまで、上述したモード判定及び設定の処理動作が繰り返される。そして、ステップＳ１１にて電源スイッチがオフされると、上記ステップＳ２へ移行してスリープ状態に入る。
【００７４】
図８は、図７のフローチャートに於けるステップＳ４のサブルーチン「塵埃除去動作」を説明するフローチャートである。
【００７５】
本実施形態のカメラ１に於いては、異なる２つの防塵除去フィルタＡ５８、Ｂ６０を有しており、共振周波数も異なっている。したがって、このサブルーチン「塵埃除去動作」では、それぞれ異なる共振周波数を設定するようにしている。
【００７６】
すなわち、本サブルーチン「塵埃除去動作」に入ると、先ず、ステップＳ２１にて、第１の振動周波数、例えば防塵フィルタＡ５８用の共振（振動）周波数が設定される。次いで、ステップＳ２２にて上記ステップＳ２１で設定された第１の周波数にて圧電素子Ａ７９による加振動作が開始される。そして、ステップＳ２３にて所定時間が経過するまで、上記ステップＳ２２で開始された加振動作が行われる。
【００７７】
次に、ステップＳ２４にて、上述した第１の振動周波数と異なる第２の振動周波数、例えば防塵フィルタＢ６０用の振動周波数が設定される。そして、ステップＳ２５にて上記ステップＳ２４で設定された第２の振動周波数にて圧電素子Ｂ７２による加振動作が開始される。その後、ステップＳ２６にて所定時間が経過するまで、上記ステップＳ２５で開始された加振動作が行われる。更に、ステップＳ２７にて、加振動作の終了処理が行われると、本サブルーチンを抜けて上述した図７のフローチャートに於けるステップＳ５に移行する。
【００７８】
このようにして、異なる２つの振動周波数を有する２つの防塵フィルタを、それぞれの周波数で振動させるようにしているので、撮影光学系だけでなく、ファインダ光学系の塵埃も除去することができる。
【００７９】
次に、本実施形態の変形例を説明する。
【００８０】
上述した実施形態では、異なる２つの振動周波数を有する２つの防塵フィルタに対して段階的に振動周波数を設定していたが、本発明はこれに限られるものではない。例えば、第１の周波数での加振動作が行われた後に振動周波数を変更して第２の周波数での加振動作を行うようにしても良いものである。
【００８１】
以下、図９のフローチャートを参照して、本発明の第１の実施形態の変形例を説明する。
【００８２】
図９は、図７のフローチャートに於けるステップＳ４のサブルーチン「塵埃除去動作」の変形例を説明するフローチャートである。
【００８３】
本サブルーチン「塵埃除去動作」に入ると、先ず、ステップＳ３１にて、第１の振動周波数、例えば防塵フィルタＡ５８用の振動周波数が設定される。次いで、ステップＳ３２にて上記ステップＳ３１で設定された第１の周波数にて圧電素子Ａ７９による加振動作が開始される。そして、ステップＳ３３にて所定時間、例えば１０ｍｓｅｃ．が経過するまで、上記ステップＳ３２で開始された加振動作が行われる。
【００８４】
次に、ステップＳ３４にて、上記ステップＳ３１で設定された第１の振動周波数に対して変更が行われる。この場合、上述した第１の振動周波数より高い周波数に変更される。そして、ステップＳ３５に於いて、上記第１の振動周波数と異なる第２の振動周波数、例えば防塵フィルタＢ６０用の振動周波数に達したか否かが判定される。ここで、まだ第２の振動周波数入出力達していない場合は、上記ステップＳ３３に移行して、第２の振動周波数に達するまで、上述したステップＳ３３〜Ｓ３５の処理動作が繰り返される。
【００８５】
そして、上記ステップＳ３５にて第２の振動周波数に達したならば、ステップＳ３６にて、加振動作の終了処理が行われる。その後、本サブルーチンを抜けて上述した図７のフローチャートに於けるステップＳ５に移行する。
【００８６】
このようにして、異なる２つの振動周波数を有する２つの防塵フィルタに対して、設定周波数を変化させて振動させるようにしても、上述した実施形態と同様に、撮影光学系だけでなく、ファインダ光学系の塵埃も除去することができる。
【００８７】
尚、上述した実施形態では、第１及び第２の振動周波数は、それぞれ所定の値に設定されているが、これに限られるものではなく、例えばそれぞれの振動周波数の帯域中に於いて、スイープさせるようにしても良い。このようにすることで、設定周波数でなくともその近傍にて振動を生じさせるので、上述した変形例よりも迅速に塵埃除去動作を行うことができる。
【００８８】
（第２の実施形態）
次に、本発明の第２の実施形態について説明する。
【００８９】
上述した第１の実施形態は撮影光学系及びファィンダ光学系に防塵フィルタを設けた例について説明したが、本第２の実施形態ではフォーカシングスクリー以外のユニットに防塵フィルタを設けた例として、ＡＦセンサユニットに設けた例を説明する。
【００９０】
尚、本第２の実施形態に於いて、カメラの構成及び基本的な動作については、図１乃至図９に示される第１の実施形態及びその変形例のカメラの構成及び動作と同じであるので、同一の部分には同一の参照番号を付して、その図示及び説明を省略し、異なる部分についてのみ説明する。
【００９１】
図１０は、本発明の第２の実施形態に於けるＡＦ光学系の概略構成を示した図である。
【００９２】
図１０に於いて、撮影レンズ１０及び絞り１２を介して入射された、図示されない被写体からの光束は、ＡＦ用可動ミラー５７の反射面で、カメラ本体の下方に反射される。そして、ＡＦ用可動ミラー５７で反射された上記光束は、防塵フィルタＣ１２０、赤外カットフィルタ１２１、コンデンサレンズ１２２を介して反射ミラー１２３で再度反射され、セバレータレンズ１２４を経てＡＦセンサユニット内のＡＦセンサ１２５の結像面に導かれる。
【００９３】
図１１は、第２の実施形態に於けるＡＦセンサユニット本体及びその周辺部の構造を示したもので、（ａ）は斜視図、（ｂ）は一部を拡大した断面図である。
【００９４】
ＡＦセンサユニット本体１３０の入射光側の所定位置には、コンデンサレンズ１２２が配置されている。そして、このコンデンサレンズ１２２上には、赤外カットフィルタ１２１が、接着によりＡＦセンサユニット本体１３０に固定されている。そして、この赤外カットフィルタ１２１の周囲には環状のパッキン１２９が配され、更にこのパッキン１２９に押圧されるようにして、環状の圧電素子Ｃ１２７及び防塵フィルタＣ１２０が配される。
【００９５】
圧電素子Ｃ１２７は防塵フィルタＣ１２０に接着により固定されているもので、フレキシブル基板１２８を介して、上述した防塵フィルタ駆動回路９０と接続される。圧電素子Ｃ１２７は、防塵フィルタＣ１２０の周縁部に取り付けられているもので、防塵フィルタＣ１２０を所定の周波数で振動させることによって、該防塵フィルタＣ１２０表面に付着した塵埃を除去するものである。更に、フィルタ固定板１３２によって防塵フィルタＣ１２０及び圧電素子Ｃ１２７がパッキン１２９を押圧することにより、ＡＦセンサユニット本体１３０の入射面側は、塵埃が侵入しないように密閉される。
【００９６】
また、ＡＦセンサ１２５は、フレキシブル基板１２６を介してＡＦセンサ駆動回路８４によって駆動される。
【００９７】
尚、ＡＦセンサユニット本体１３０に於ける防塵フィルタＣ１２０の周囲には、該防塵フィルタＣ１２０の振動によって除去された塵埃を吸着するための粘着シート１３１が設けられている。また、この粘着シート１３１は、複数設けられていても良い。
【００９８】
このように、ＡＦ光学系にも防塵フィルタを設けることで、ＡＦ光学系に侵入する塵埃を除去することができる。
【００９９】
以上、本発明の実施形態について説明したが、本発明は上述した実施形態以外にも、本発明の要旨を逸脱しない範囲で種々の変形実施が可能である。
【図面の簡単な説明】
【０１００】
【図１】本発明の第１の実施形態を示すもので、本発明の光学機器が適用された一眼レフレックスタイプのデジタルカメラの構成を示す外観斜視図である。
【図２】本発明の第１の実施形態に於けるカメラのファインダ光学系の構成を示す斜視図である。
【図３】（ａ）は第２乃至第４反射ミラー５２〜５４及び接眼レンズ６４を一体的に収容するファィンダユニット本体７０と、防塵フィルタＢ６０、フォーカシングスクリーン６１の取り付け構造を示した斜視図、（ｂ）は防塵フィルタＢ６０、フォーカシングスクリーン６１の取り付け構造部分を示した断面図である。
【図４】本発明の第１の実施形態に係るカメラのシステム構成を示すブロック図である。
【図５】図４の防塵フィルタ駆動回路９０の構成を示す回路図である。
【図６】防塵フィルタの駆動とその動作に係わる波形信号を表すタイムチャートである。
【図７】本発明の第１の実施形態に於けるカメラの基本的な撮影動作について説明するフローチャートである。
【図８】図７のフローチャートに於けるステップＳ４のサブルーチン「塵埃除去動作」を説明するフローチャートである。
【図９】図７のフローチャートに於けるステップＳ４のサブルーチン「塵埃除去動作」の変形例を説明するフローチャートである。
【図１０】本発明の第２の実施形態に於けるＡＦ光学系の概略構成を示した図である。
【図１１】本発明の第２の実施形態に於けるＡＦセンサユニット本体及びその周辺部の構造を示したもので、（ａ）は斜視図、（ｂ）は一部を拡大した断面図である。
【符号の説明】
【０１０１】
１０…レンズ鏡筒、１１…撮影レンズ、１２…絞り、１３…レンズ駆動機構、１４…絞り駆動機構、１５…レンズ制御用マイクロコンピュータ（Ｌμｃｏｍ）、２０…通信コネクタ、３０…カメラ本体、３１…レリーズ釦、３２…モードダイヤル、３３…パワースイッチレバー、３４…コントロールダイヤル、３６…液晶モニタ、４３…ファインダ、５０…ファインダ光学系、５１…第１反射ミラー、５２…第２反射ミラー、５３…第３反射ミラー、５４…第４反射ミラー、５７…ＡＦ用可動ミラー、５８…防塵フィルタＡ、６０…防塵フィルタＢ、６１…フォーカシングスクリーン、６２…測光センサ、６４…接眼レンズ、６８…スルー画表示用撮像素子、７０…ファインダユニット本体、７２…圧電素子Ｂ、７８…シャッタ、７９…圧電素子Ａ、８０…記録用撮像素子、８３…ＡＦセンサユニット、８４…ＡＦセンサ駆動回路、８５…ミラー駆動機構、８６…シャッタチャージ機構、８７…シャッタ制御回路、９１…インターフェース回路、９２…画像処理コントローラ、９６…ＳＤＲＡＭ、９７…ＦｌａｓｈＭｅｍｏｒｙ、９８…記録メディア、１００…温度測定回路、１０１…不揮発性メモリ（ＥＥＰＲＯＭ）、１０２…動作表示用ＬＣＤ、１０３…カメラ操作スイッチ（ＳＷ）、１０５…電源回路。
【図１】
2007047198.tif 000003
【図２】
2007047198.tif 000004
【図３】
2007047198.tif 000005
【図４】
2007047198.tif 000006
【図５】
2007047198.tif 000007
【図６】
2007047198.tif 000008
【図７】
2007047198.tif 000009
【図８】
2007047198.tif 000010
【図９】
2007047198.tif 000011
【図１０】
2007047198.tif 000012
【図１１】
2007047198.tif 000013